(57)【特許請求の範囲】
【請求項１】
建築物に配置される断熱壁であって、
上下両方向に向く断面Ｃ字状の第１溝を有する、前記断熱壁の水平方向の骨組を構成する長尺構造部材である複数のランナーと、
断面Ｃ字状の第２溝を有し、前記断熱壁の鉛直方向の骨組を構成する長尺構造部材である、前記ランナーにより固定された複数の中間スタッドと、
上下両端部が前記第１溝に嵌入され、かつ左端部または右端部の少なくとも一方が前記第２溝に嵌入される、発泡プラスチックから成る矩形状の断熱板と、
を備え、
隣接する前記中間スタッドの前記第２溝が同じ方向を向いて配置されていることを特徴とする断熱壁。
【請求項２】
建築物に配置される断熱壁であって、
断面Ｃ字状の第１溝を有し、前記断熱壁の水平方向の骨組を構成する長尺構造部材であるランナーと、
左右両方向に向く断面Ｃ字状の第２溝を有し、前記断熱壁の鉛直方向の骨組を構成する長尺構造部材である、前記ランナーにより固定された中間スタッドと、
左右両端部が前記第２溝に嵌入され、かつ上端部または下端部の少なくとも一方が前記第１溝に嵌入される、発泡プラスチックから成る矩形状の断熱板と、
を備え、
前記中間スタッドは、２つの断面Ｃ字状の第２溝を有するスタッドの背面どうしを接触させて補強プレートで固定したものであり、
前記断熱板は上下方向に複数に分割されていることを特徴とする断熱壁。
【請求項３】
前記複数の中間スタッドは同一の石膏ボードに取付けられることを特徴とする請求項１または２に記載の断熱壁。
【請求項４】
上下両方向に向く断面Ｃ字状の第１溝を有する長尺構造部材であるランナーを横設する工程と、
断面Ｃ字状の第２溝を有する長尺構造部材である中間スタッドを前記ランナーに立設し、発泡プラスチックから成る矩形状の断熱板の下端部を前記ランナーの上側の前記第１溝に嵌入すると共に、前記断熱板の右端部または左端部を前記第２溝に嵌入することを、前記第２溝を同じ方向に向けて、複数の前記中間スタッドを前記ランナーに立設しつつ繰り返す工程と、
前記断熱板の上端部が新たな前記ランナーの下側の前記第１溝に嵌入されるように、新たな前記ランナーを横設する工程と
を備えることを特徴とする断熱壁の施工方法。
【請求項５】
断面Ｃ字状の第２溝を有する長尺構造部材である第１スタッドを断面Ｃ字状の第１溝を有する長尺構造部材であるランナーに立設し、
断面Ｃ字状の第２溝を有する長尺構造部材である第２スタッドを、該第２スタッドの背面を前記第１スタッドの背面に接触させて前記ランナーに立設し、
発泡プラスチックから成る矩形状の断熱板の左右何れか一方の端部を前記第２溝に嵌入させて配置し、
前記断熱板の前記第２溝に嵌入されていない他方の端部が、断面Ｃ字状の第２溝を有する長尺構造部材である第３スタッドの前記第２溝に嵌入されるように、前記第３スタッドを前記ランナーに立設すること
を繰り返す工程を備えることを特徴とする断熱壁の施工方法。
【発明の詳細な説明】
【技術分野】
【０００１】
本発明は、発泡プラスチックから成る断熱材を用いた断熱壁、及び該断熱壁の施工方法に関するものである。
【背景技術】
【０００２】
従来、建築物の外壁に使用される建築材料としてＡＬＣパネルが知られている。ＡＬＣパネルは、安価で断熱性を有することの他、軽量であるため鉄骨造の建築物に多く用いられる。
【０００３】
しかし、鉄骨造の建築物は揺れやすい性質を有するため、ＡＬＣパネルを外壁に使用した場合、地震等の揺れによってＡＬＣパネルにひび割れが生じる等の問題があった。
【０００４】
この問題を解決する工法として、地震などにより建築物の鉄骨躯体が変形した場合に、外壁を構成するＡＬＣパネルが鉄骨躯体に追従するようにＡＬＣパネルを設置する工法が存在する。例えば、ＡＬＣパネルが１枚ずつ微小回動して鉄骨躯体の層間変形角に追従するロッキング工法、建築物の上部に配置されたＡＬＣパネルがスライドして鉄骨躯体の層間変形角に追従するスライド工法、横設された上下段のＡＬＣパネル相互が階段状にずれて鉄骨躯体の層間変形角に追従するアンカー工法、ボルト止め工法、カバープレート工法、建築物の上部に配置されたＡＬＣパネル群が面としてスライドし鉄骨躯体の層間変形角に追従するスウェイ方式などが存在する。
【０００５】
これらの工法によれば、鉄骨躯体に大きな外力が加わった場合に外壁であるＡＬＣパネルが可動して鉄骨躯体の層間変形角に追従することにより、外壁が損傷したり脱落したりすることを防止できるため、建築物の耐久性や安全性を向上させることができる。
【０００６】
ところで、ＡＬＣパネルが可動する工法を採用した建築物を断熱する場合、外壁の変形に伴って外壁に設置される断熱材も可動することが前提となるため施工方法が制限される。例えば、現場発泡施工が可能な断熱材を外壁に吹付けると外壁の変形により断熱材が破壊されてしまい、発泡プラスチックボード断熱材を外壁に直貼りすると外壁の変形により断熱材間が擦れて破砕されてしまうため、これらの断熱材を施工することができない。
【０００７】
このような制限された状況において建築物を断熱する方法としては、外壁の屋内側に内壁を配置し、内壁材と外壁パネルとの間にグラスウールやロックウール等の無機繊維系断熱材を充填することにより建築物の断熱化を図る方法が考えられる（特許文献１参照）。
【先行技術文献】
【特許文献】
【０００８】
【特許文献１】特開平１１−１８１９１８号公報
【発明の概要】
【発明が解決しようとする課題】
【０００９】
しかし、上述の方法においては、グラスウールやロックウール等が下方にずれないように固定することが困難であり、簡易に断熱材を施工することができなかった。また、グラスウールやロックウール等の無機繊維系断熱材は隙間なく断熱材を充填することができない上、熱伝導率が０．０５０Ｗ／ｍ・Ｋと高く断熱性能が低いことから、断熱性が高い断熱壁を提供することができないという問題があった。
【００１０】
本発明の目的は、断熱性が高く簡易に施工できる断熱壁、及び該断熱壁の施工方法を提供することである。
【課題を解決するための手段】
【００１１】
本発明の断熱壁は、建築物に配置される断熱壁であって、上下両方向に向く断面Ｃ字状の第１溝を有する、前記断熱壁の水平方向の骨組を構成する長尺構造部材である複数のランナーと、断面Ｃ字状の第２溝を有し、前記断熱壁の鉛直方向の骨組を構成する長尺構造部材である、前記ランナーにより固定された複数の中間スタッドと、上下両端部が前記第１溝に嵌入され、かつ左端部または右端部の少なくとも一方が前記第２溝に嵌入される、発泡プラスチックから成る矩形状の断熱板と、を備え、隣接する前記中間スタッドの前記第２溝が同じ方向を向いて配置されていることを特徴とする。
【００１２】
また、本発明の断熱壁は、建築物に配置される断熱壁であって、断面Ｃ字状の第１溝を有し、前記断熱壁の水平方向の骨組を構成する長尺構造部材であるランナーと、左右両方向に向く断面Ｃ字状の第２溝を有し、前記断熱壁の鉛直方向の骨組を構成する長尺構造部材である、前記ランナーにより固定された中間スタッドと、左右両端部が前記第２溝に嵌入され、かつ上端部または下端部の少なくとも一方が前記第１溝に嵌入される、発泡プラスチックから成る矩形状の断熱板と、を備え、前記中間スタッドは、２つの断面Ｃ字状の第２溝を有するスタッドの背面どうしを接触させて補強プレートで固定したものであり、
前記断熱板は上下方向に複数に分割されていることを特徴とする。
【００１３】
また、本発明の断熱壁は、前記複数の中間スタッドは同一の石膏ボードに取付けられることを特徴とする。
【００１４】
また、本発明の断熱壁の施工方法は、上下両方向に向く断面Ｃ字状の第１溝を有する長尺構造部材であるランナーを横設する工程と、断面Ｃ字状の第２溝を有する長尺構造部材である中間スタッドを前記ランナーに立設し、発泡プラスチックから成る矩形状の断熱板の下端部を前記ランナーの上側の前記第１溝に嵌入すると共に、前記断熱板の右端部または左端部を前記第２溝に嵌入することを、前記第２溝を同じ方向に向けて、複数の前記中間スタッドを前記ランナーに立設しつつ繰り返す工程と、前記断熱板の上端部が新たな前記ランナーの下側の前記第１溝に嵌入されるように、新たな前記ランナーを横設する工程とを備えることを特徴とする。
【００１５】
また、本発明の断熱壁の施工方法は、断面Ｃ字状の第２溝を有する長尺構造部材である第１スタッドを断面Ｃ字状の第１溝を有する長尺構造部材であるランナーに立設し、断面Ｃ字状の第２溝を有する長尺構造部材である第２スタッドを、該第２スタッドの背面を前記第１スタッドの背面に接触させて前記ランナーに立設し、発泡プラスチックから成る矩形状の断熱板の左右何れか一方の端部を前記第２溝に嵌入させて配置し、前記断熱板の前記第２溝に嵌入されていない他方の端部が、断面Ｃ字状の第２溝を有する長尺構造部材である第３スタッドの前記第２溝に嵌入されるように、前記第３スタッドを前記ランナーに立設することを繰り返す工程を備えることを特徴とする。
【００１６】
また、本発明の断熱壁の施工方法は、左右両方向に向く断面Ｃ字状の第２溝を有する長尺構造部材であるスタッドを断面Ｃ字状の第１溝を有する長尺構造部材であるランナーに立設し、発泡プラスチックから成る矩形状の断熱板の左右何れか一方の端部を前記第２溝に嵌入させて配置し、前記断熱板の前記第２溝に嵌入されていない他方の端部が新たな前記スタッドの前記第２溝に嵌入されるように、新たなスタッドを前記ランナーに立設することを繰り返す工程を備えることを特徴とする。
【００１７】
また、本発明の断熱壁の施工方法は、前記断熱板が、フェノール断熱材であり、前記ランナー及び前記スタッドが、軽量鉄骨部材であることを特徴とする。
【発明の効果】
【００１８】
本発明の目的は、断熱性が高く簡易に施工できる断熱壁、該断熱壁を備える建築物及び該断熱壁の施工方法を提供することである。
【図面の簡単な説明】
【００１９】
【図１】第１の実施の形態に係る断熱壁の壁下地を示す図である。
【図２】第１の実施の形態に係る壁下地を水平方向に切断した断面を示す図である。
【図３】第１の実施の形態に係るランナーの断面を示す図である。
【図４】第１の実施の形態に係る壁下地の中間部に配置されるランナーの断面を示す図である。
【図５】第１の実施の形態に係るスタッドの断面を示す図である。
【図６】第１の実施の形態に係る断熱壁に用いられる部材の寸法の組合せを示す図である。
【図７】第１の実施の形態に係る建築物の断熱壁が施工される部分を示す図である。
【図８】第１の実施の形態に係る断熱壁の施工方法を示す図である。
【図９】第１の実施の形態に係る断熱壁の施工方法を示す図である。
【図１０】第１の実施の形態に係る壁下地に石膏ボードを取付けた状態を示す図である。
【図１１】第２の実施の形態に係る断熱壁の壁下地を示す図である。
【図１２】第２の実施の形態に係る壁下地の中間部に配置されるスタッドの断面を示す図である。
【図１３】第２の実施の形態に係る断熱壁の施工方法を示す図である。
【図１４】第２の実施の形態に係るスタッドを補強プレートで固定した状態を示す図である。
【図１５】第２の実施の形態に係る壁下地に石膏ボードを取付けた状態を示す図である。
【図１６】第１の実施の形態に係る断熱壁を構成する壁パネルを示す図である。
【図１７】第２の実施の形態に係る断熱壁を振れ止めを用いて施工する場合を示す図である。
【発明を実施するための形態】
【００２０】
以下、図面を参照して、第１の実施の形態に係る断熱壁の構造について説明する。図１は、第１の実施の形態に係る断熱壁の壁下地を示す図である。また、図２は、壁下地２（図１参照）のＡ−Ａ断面を示す図である。
【００２１】
断熱壁は、建築物の断熱性を向上させるために外壁の屋内側に施工される壁であり、図１に示す、ランナー４、スタッド６、及び断熱板８から成る壁下地２に石膏ボード１０（図１０参照）を取付けて構成される。
【００２２】
ランナー４は、壁下地２の水平方向の骨組を構成する軽量鉄骨（light gauge steel：ＬＧＳ）であり、図３に示すように、断面Ｃ字状の第１溝４ａを有している。壁下地２の上端のランナー４は、第１溝４ａを下向きにして配置され、壁下地２の下端のランナー４は、第１溝４ａを上向きにして配置される。
【００２３】
図４は、壁下地２の中間部に配置されるランナー４の断面を示す図である。図４に示すように、壁下地２の中間部には、２本のランナー４が上下に重ねて配置される。ここで、上側のランナー４は、第１溝４ａが上方に向くように配置され、下側のランナー４は第１溝４ａが下方に向くように配置される。この上下に重ねた２本のランナー４により、上下両方向に向く第１溝４ａを有する中間ランナー５が形成される。
【００２４】
スタッド６は、壁下地２の鉛直方向の骨組を構成する軽量鉄骨であり、図５に示すように、断面Ｃ字状の第２溝６ａを有している。また、第２溝６ａの上端部には、内側に屈曲するリップ６ｂが形成されている。ここで、スタッド６の上下両端部はランナー４によって固定され、壁下地２にランナー４とスタッド６が格子状に配置される。なお、スタッド６の幅は、スタッド６をランナー４の第１溝４ａ内に立設させることができるように、ランナー４の第１溝４の幅よりも狭く、かつ第１溝４ａ内に固定できる程度の幅をもって形成されている。また、壁下地２の紙面右端（以下、右端と略す。）のスタッド６は、第２溝６ａを紙面左向き（以下、左向きと略す。）にして配置され、壁下地２の左端のスタッド６（図示せず）は、第２溝６ａを紙面右向き（以下、右向きと略す。）にして配置される。また、壁下地２の中間部のスタッド６は、第２溝６ａの向きがすべて左側に向くように配置される。
【００２５】
なお、壁下地２の中間部に配置されるスタッド６の第２溝６ａの向きは、すべてが左右何れか一方向を向いていればよい。このため、スタッド６は、第２溝６ａをすべて右側に向けて配置されてもよい。
【００２６】
また、ランナー４とスタッド６は軽量鉄骨に限定されず、めっきされた鉄やステンレス、アルミニウム等の金属材料で構成されていればよい。
【００２７】
断熱板８は、発泡プラスチックであるフェノール断熱材から成る矩形状のボードである。断熱板８は、上端部をランナー４の下向きの第１溝４ａに嵌入させ、下端部をランナー４の上向きの第１溝４ａに嵌入させ、かつ左右の少なくとも一方の端部をスタッド６の第２溝６ａに嵌入させて配置される。ここで、第２溝６ａに嵌入された断熱板８の端部は、第２溝６ａに形成されたリップ６ｂによって挟持される。
【００２８】
発泡プラスチックとして用いる樹脂としては、フェノール樹脂（フェノール断熱材）、ウレタン樹脂（硬質ウレタンフォーム、ポリイソシアヌレートフォーム）、ポリスチレン樹脂（押出ポリスチレン断熱材、ビーズ法ポリスチレン断熱材）、ポリエチレン樹脂（ポリエチレン断熱材）が挙げられる。ここで、ＪＩＳ Ｋ ７２０１に規定された酸素指数が２６未満の部材は消防法上の指定可燃物に該当し、断熱壁２内にはコンセントや照明スイッチ等と接続される電気配線が設置されるため、これらの断熱材のうち酸素指数が２６以上のものを断熱板８に用いることが望ましい。
【００２９】
特に、発泡プラスチックの中でも、フェノール樹脂を用いたフェノール断熱材を断熱板８に用いるのが熱伝導率や不燃性の点で望ましい。フェノール断熱材の熱伝導率は０．０２２Ｗ／ｍ・Ｋ以下であり、グラスウール（熱伝導率０．０５０Ｗ／ｍ・Ｋ）や他の発泡プラスチック断熱材よりも高い断熱性能を有しているため、断熱板８を薄くしても必要な断熱性能を発揮できる。このため、フェノール断熱材から成る断熱板８を、厚さが薄いランナー４及びスタッド６と合わせて用いることで壁下地２自体も薄くし室内面積を広くすることができる。
【００３０】
また、フェノール断熱材の酸素指数は２８以上であるため、フェノール断熱材は不燃材として扱われる。このため、壁下地２にフェノール断熱材の断熱板８を配置した上で、更に内装材として後述する石膏ボード１０のような不燃材を取付けることにより、建築物を準耐火構造又は耐火構造の建築物とすることができる。
【００３１】
また、一般的なフェノール断熱材としては、発泡硬化時に使用される酸性の硬化剤の影響によってｐＨが４程度となったものが用いられるが、金属製のランナー４とスタッド６に錆が発生するのを防止するためには、ｐＨが５以上に調整されたフェノール断熱材を用いることが望ましい。特にｐＨが６以上に調整されたフェノール断熱材を用いることが望ましい。ただし、ランナー４とスタッド６に錆止めのめっき等が施してある場合、錆にくい材料が使用されている場合等にはフェノール断熱材のｐＨが５以下であっても構わない。
【００３２】
また、断熱板８は、例えば、２５ｍｍ、３５ｍｍ、５０ｍｍ等の所定の厚さを有しており、断熱壁に使用されるランナー４とスタッド６のサイズは断熱板８の厚さに応じて決定される。例えば、図６に示すように、厚さ２５ｍｍの断熱板８を用いる場合には、リップ６ｂの開口幅が２６ｍｍで全幅が４０ｍｍのスタッド６と全幅が４２ｍｍのランナー４が組合せて使用される。また、厚さ３５ｍｍの断熱板８を用いる場合には、リップ６ｂの開口幅が３６ｍｍで全幅が５０ｍｍのスタッド６と全幅が５２ｍｍのランナー４が組合せて使用される。同様に、厚さ５０ｍｍの断熱板８を用いる場合には、リップ６ｂの開口幅が５１ｍｍで全幅が６５ｍｍのスタッド６と全幅が６７ｍｍのランナー４が組合せて使用される。
【００３３】
石膏ボード１０は、壁下地２に取付けられる矩形状のボードである。石膏ボード１０が取付けられた場合、壁下地２を構成するランナー４、スタッド６、及び断熱板８が外観上覆い隠される。なお、従来のように、グラスウールやロックウール等の無機繊維系断熱材を使用した場合には、壁下地２の片側に石膏ボードを張り付けた後でないと壁下地２に断熱材を充填することができず、石膏ボードの施工を断熱材の施工と前後して行う必要があったが、本発明では断熱板８を設置した後に石膏ボード１０を取付けることができるため、施工を簡略化することができる。
【００３４】
次に、図面を参照して、第１の実施の形態に係る断熱壁の施工方法について、ロッキング工法を採用した建築物に断熱壁を施工する場合を例に説明する。図７は、建築物２２において断熱壁が施工される部分を示す図である。ここで、図７においては、外壁であるＡＬＣパネル２４、及び構造躯体の一部を成す梁２６と床スラブ２８が示されている。また床スラブ２８とＡＬＣパネル２４との間には、１０ｃｍ程度の間隙３０が形成されており、間隙３０には図示しない絶縁材、及びモルタルが建築物２２の施工後に充填される。なお、断熱壁は、床スラブ２８上の破線で示す位置に施工される。
【００３５】
図８、９は、断熱壁の施工方法を示す図である。断熱壁は、図８に示す（１）〜（５）、及び図９に示す（１１）、（１２）の手順で施工される。建築物２２に断熱壁を施工する場合、まず、作業員は、図８に示すように、（１）壁下地２の下端を構成するランナー４を、第１溝４ａを上向きにして床上に固定すると共に、壁下地２の上端を構成するランナー４を、第１溝４ａを下向きにして天井に固定する。
【００３６】
次に、（２）ランナー４の右端部にスタッド６を立設する。ここで、スタッド６は、第１溝４ａ内に第２溝６ａを左向きにして立設される。次に、（３）断熱板８の下端部を床上に固定されたランナー４の第１溝４ａに嵌入させ、かつ断熱板８の右端部をランナー４の右端に立設されたスタッド６の第２溝６ａに嵌入させて断熱板８を配置する。
【００３７】
以下同様に、（４）第２溝６ａを左向きにしてスタッド６をランナー４に立設した後、（５）断熱板８の下端部を床上に固定されたランナー４の第１溝４ａに嵌入させ、かつ断熱板８の右端部をランナー４に立設されたスタッド６の第２溝６ａに嵌入させて断熱板８を配置する作業を繰り返す。なお、壁下地２の左端を構成するスタッド６をランナー４に立設する場合、第２溝６ａを右向きにし、壁下地２の左端を構成する断熱板８の左端部を第２溝６ａに嵌入させる。
【００３８】
次に、作業員は、図９に示すように、（１１）第１溝４ａを下向きにしてランナー４を断熱板８、スタッド６の上に横設する。なお、作業員は、断熱板８の上端部、スタッド６の上端部が第１溝４ａに嵌入されるようにランナー４を横設する。これにより、断熱板８、スタッド６が振れないように所定の位置に固定される。
【００３９】
次に、（１２）更に第１溝４ａを上向きにしたランナー４を、第１溝４ａを下向きにしたランナー４の上に横設する。これにより、壁下地２の中間部に上下両方向に向く第１溝４ａを有する中間ランナー５が壁下地２内に配置される。なお、中間ランナー５の上側のランナー４は、図示しない補強プレートを用いて下側のランナー４に固定される。
【００４０】
以下、図８を参照して説明したのと同様に、ランナー４上にスタッド６と断熱板８を交互に配置し、中間ランナー５を横設することを繰り返す。
【００４１】
なお、最上段の断熱板８は、上端部を天井に固定されたランナー４の第１溝４ａに嵌入させ、下端部を中間ランナー５の上向きの第１溝４ａに嵌入させ、かつ右端部をスタッド６の第２溝６ａに嵌入させて配置される。
【００４２】
壁下地２ができあがると、図１０に示すように、壁下地２の屋内側の面に石膏ボード１０を取り付けて断熱壁を完成させる。
【００４３】
この第１の実施の形態に係る発明によれば、発泡プラスチックからなる断熱材を断熱板８として用いることにより、ロッキング工法等を採用した建築物２２のように断熱材を外壁に直貼りすることができない場合でも簡易に施工可能な断熱性が高い断熱壁を提供することができる。
【００４４】
また、壁下地２の中間部に上下両方向に向く第１溝４ａを有する中間ランナー５を配置することにより、断熱板８の上端部をランナー４の下向きの第１溝４ａに嵌入させ、断熱板８の下端部をランナー４の上向きの第１溝４ａに嵌入させ、かつ断熱板８の左右の少なくとも一方の端部をスタッド６の第２溝６ａに嵌入させることができる。これにより、隙間なく断熱板８を配置することができ、断熱壁の断熱性を向上させることができる。
【００４５】
また、作業員は、機械的に断熱板８の端部をランナー４の第１溝４ａ、スタッド６の第２溝６ａに嵌入させるだけで断熱壁を完成させることができるため、簡易な断熱壁の施工方法を提供することができる。また、断熱板８を建築物２２内に配置することにより、断熱性が高い建築物２２を提供することができる。
【００４６】
また、断熱板８にフェノール断熱材を使用することにより、ランナー４及びスタッド６の幅厚を薄くすることができる。これにより、断熱壁の壁厚を薄くすることができ、建築物２２の屋内空間を広げることができる。
【００４７】
次に、第２の実施の形態に係る断熱壁について説明する。この第２の実施の形態に係る断熱壁は、第１の実施の形態のように、壁下地の中間部に上下両方向に向く第１溝を有する中間ランナー５を横設することに代えて、壁下地の中間部に左右両方向に向く第２溝を有する中間スタッドを立設するようにしたものである。従って、第２の実施の形態では、第１の実施の形態と異なる部分について詳細に説明し、重複する部分については適宜説明を省略する。
【００４８】
図１１は、第２の実施の形態に係る断熱壁の壁下地を示す図である。図１１に示すように、断熱壁は、ランナー４、スタッド６、及び断熱板８から成る壁下地４２に石膏ボード１０を取付けて構成される。
【００４９】
ここで、壁下地４２の上端のランナー４は、第１溝４ａを下向きにして配置され、壁下地４２の下端のランナー４は、第１溝４ａを上向きにして配置される。また、壁下地４２の右端のスタッド６は、第２溝６ａを左向きにして配置され、壁下地４２の左端のスタッド６（図示せず）は、第２溝６ａを右向きにして配置される。
【００５０】
図１２は、壁下地２の中間部に配置されるスタッド６の断面を示す図である。図１２に示すように、壁下地４２の中間部には、２本のスタッド６を左右に隣接させて配置される。ここで、右側のスタッド６は、第２溝６ａが右に向くように配置され、左側のランナー４は第２溝６ａが左に向くように配置される。この左右に隣接する２本のスタッド６により、左右両方向に向く第２溝６ａを有する中間スタッド７が形成される。
【００５１】
次に、図面を参照して、第２の実施の形態に係る断熱壁の施工方法について説明する。図１３は、断熱壁の施工方法を示す図である。断熱壁は、図１３に示す（２１）〜（２６）、の手順で施工される。まず、作業員は、図１３に示すように、（２１）壁下地４２の下端を構成するランナー４を、第１溝４ａを上向きにして床上に固定すると共に、壁下地４２の上端を構成するランナー４を、第１溝４ａを下向きにして天井に固定する。
【００５２】
次に、（２２）ランナー４の右端部にスタッド６を立設する。ここで、スタッド６は、第１溝４ａ内に第２溝６ａを左向きにして立設される。次に、所定の長さに切断された２枚の断熱板８を用意する。そして、（２３）下段の断熱板８の下端部を床に固定されたランナー４の第１溝４ａに嵌入させ、かつ右端部をランナー４の右端部に立設されたスタッド６の第２溝６ａに嵌入させて下段の断熱板８を配置する。同様に、上段の断熱板８の上端部を天井に固定されたランナー４の第１溝４ａに嵌入させ、かつ右端部をランナー４の右端部に立設されたスタッド６の第２溝６ａに嵌入させて上段の断熱板８を配置する。
【００５３】
次に、（２４）第２溝６ａを右向きにしたスタッド６をランナー４に立設する。なお、作業員は、ランナー４を立設する際に、右隣に配置された断熱板８の左端を第２溝６ａに嵌入させる。次に、（２５）第２溝６ａを左向きにしたスタッド６の背面を、右隣のスタッド６の背面と接触させてランナー４に立設する。これにより、壁下地２の中間部に左右両方向に向く第２溝６ａを有する中間スタッド７が配置される。
【００５４】
以下同様に、（２６）断熱板８を配置し、中間スタッド７をランナー４に立設する作業を繰り返す。
【００５５】
なお、壁下地４２の左端を構成するスタッド６をランナー４に立設する場合、作業員は、第２溝６ａを右向きにしてスタッド６に立設する。なお、この場合、壁下地４２の左端を構成する断熱板８の左端部をスタッド６の第２溝６ａに嵌入させる。
【００５６】
壁下地４２ができあがると、図１４に示すように、中間スタッド７を構成する２本のスタッド６を補強プレート４４で固定する。なお、補強プレート４４は、ビス４６で両スタッド６に固定される。次に、図１５に示すように、壁下地４２の屋内側の面に石膏ボード１０を取り付ける。
【００５７】
この第２の実施の形態に係る発明によれば、発泡プラスチックからなる断熱材を断熱板８として用いることにより、ロッキング工法等を採用した建築物２２のように断熱材を外壁に直貼りすることができない場合でも簡易に施工可能な断熱性が高い断熱壁を提供することができる。
【００５８】
また、壁下地２の中間部に左右両方向に向く第２溝６ａを有する中間スタッド７を配置することにより、断熱板８の右端部をスタッド６の左向きの第２溝６ａに嵌入させ、断熱板８の左端部をスタッド６の右向きの第２溝６ａに嵌入させ、かつ断熱板８の上下の少なくとも一方の端部をランナー４の第１溝４ａに嵌入させることができる。これにより、隙間なく断熱板８を配置することができ、断熱壁の断熱性を向上させることができる。
【００５９】
また、作業員は、機械的に断熱板８をランナー４の第１溝４ａ、スタッド６の第２溝６ａに嵌入させるだけで断熱板８を完成させることができるため、簡易な断熱板８の施工方法を提供することができる。また、断熱板８を建築物２２内に配置することにより、断熱性が高い建築物２２を提供することができる。
【００６０】
また、断熱板８にフェノール断熱材を使用することにより、ランナー４及びスタッド６の幅厚を薄くすることができる。これにより、断熱壁の壁厚を薄くすることができ、建築物２２の屋内空間を広げることができる。
【００６１】
なお、上述の各実施の形態において、断熱壁を防火区画として用いることができるようにしてもよい。この場合、層厚が厚く耐火性能を向上させた石膏ボード１０を壁下地に取り付けてもよく、複数の石膏ボード１０を積層して壁下地に取り付けてもよい。
【００６２】
また、上述の各実施の形態においては、ロッキング工法等を採用した建築物２２の断熱を行う場合を例に説明しているが、断熱壁を間仕切り壁として使用してもよい。例えば、工場建屋内の事務所部分を工場部分と区画する間仕切り壁として断熱壁を用い、事務所部分の区画断熱を行うようにしてもよい。
【００６３】
また、上述の各実施の形態においては、断熱板８の端部の面がランナー４の第１溝４ａの底面、及びスタッド６の第２溝６ａの底面と接触するように断熱板８を配置してもよい。これにより、更に隙間なく断熱板８を配置することができ、断熱壁の断熱性能を向上させることができる。
【００６４】
また、上述の各実施の形態においては、スタッド６の第２溝６ａに嵌入された断熱板８の端部は、第２溝６ａに形成されたリップ６ｂによって挟持されているが、第２溝６ａの幅よりも薄い厚さの断熱板８を用いる場合には、断熱板８とリップ６ｂとの間に断熱板８をスタッド６に固定するための固定具を設けてもよい。
【００６５】
また、上述の各実施の形態においては、断熱壁２に遮音性を付与するために遮音材を配置してもよい。この場合、遮音材は、例えば、断熱板８の表面に配置してもよく、ランナー４、スタッド６と石膏ボードとの間等に配置してもよい。
【００６６】
また、上述の第１の実施の形態において、図１６に示すように、壁下地２の一部を構成する壁パネル５０を予め工場等で作成し、壁パネル５０を現場で組み合わせて断熱壁を施工するようにしてもよい。
【００６７】
また、上述の第１の実施の形態における中間ランナー５には、上下に第１溝４ａが形成された断面Ｈ形状のランナーを用いてもよく、上述の第２の実施の形態における中間スタッド７には、左右に第２溝６ａが形成された断面Ｈ形状のスタッドを用いてもよい。
【００６８】
また、上述の第２の実施の形態において、断熱板８は必ずしも上下に２枚ずつ配置される必要はない。例えば、スタッド６と同等の長さを有する１枚の断熱板８を使用して断熱壁を完成させてもよい。また、上述の断熱壁の施工方法で用いられた断熱板８よりも短く切断された断熱板を使用し、上下に３枚以上の断熱板８を配置しながら断熱壁を完成させてもよい。
【００６９】
また、上述の第２の実施の形態において、補強プレート４４（図１４参照）に代えて、図１７に示すように、振れ止め６０を中間スタッド７に貫通させ、隣接するスタッド６同士を固定するようにしてもよい。なお、この場合、断熱板８には、上下の振れ止め６０の間に納まるように短く切断されたものを用いる。
【００７０】
また、上述の各実施の形態において、断面Ｃ字状の第２溝６ａを有するスタッド６に代えて、断面に矩形状の空洞を有する角スタッドを用いてもよい。この場合、断熱板８は、左右両端部をそれぞれ角スタッドに接触させて配置される。以下、各実施の形態の施工方法について、上述した施工手順と異なる部分を説明する。
【００７１】
第１の実施の形態に係る施工方法において、まず、作業員は、図８に示すように、（１）壁下地２の上下端を構成するランナー４を配置した後、（２）ランナー４の右端部に角スタッドを立設する。ここで、角スタッドは、ランナー４の第１溝４ａ内に立設される。次に、（３）断熱板８の下端部を床上に固定されたランナー４の第１溝４ａに嵌入させ、かつ断熱板８の右端部をランナー４の右端に立設された角スタッドに接触させて断熱板８を配置する。
【００７２】
以下同様に、（４）角スタッドをランナー４に立設した後、（５）断熱板８の下端部を床上に固定されたランナー４の第１溝４ａに嵌入させ、かつ断熱板８の右端部をランナー４に立設された角スタッドに接触させて断熱板８を配置する作業を繰り返す。
【００７３】
次に、第２の実施の形態に係る施工方法について説明する。まず、作業員は、図１３に示すように、（２１）壁下地４２の上下端を構成するランナー４を配置した後、（２２）ランナー４の右端部に角スタッドを立設する。ここで、角スタッドは、ランナー４の第１溝４ａ内に立設される。次に、（２３）下段の断熱板８の下端部を床に固定されたランナー４の第１溝４ａに嵌入させ、かつ右端部をランナー４の右端部に立設された角スタッドに接触させて下段の断熱板８を配置する。同様に、上段の断熱板８の上端部を天井に固定されたランナー４の第１溝４ａに嵌入させ、かつ右端部をランナー４の右端部に立設された角スタッドに接触させて上段の断熱板８を配置する。
【００７４】
次に、（２４）新たな角スタッドをランナー４に立設する。なお、作業員は、ランナー４を立設する際に、右隣に配置された断熱板８の左端を新たな角スタッドに接触させる。次に、（２５）更に新たな角スタッドを、右隣の角スタッドと接触させてランナー４に立設する。以下同様に、（２６）断熱板８を配置し、角スタッドをランナー４に立設する作業を繰り返す。なお、この場合、２本の角スタッドを左右に隣接させて配置せず、１本の角スタッドの左右に断熱板８が配置されるようにしてもよい。
【符号の説明】
【００７５】
２、４２…壁下地、４…ランナー、４ａ…第１溝、５…中間ランナー、６…スタッド、６ａ…第２溝、７…中間スタッド、８…断熱板、１０…石膏ボード、２２…建築物
【図１】
0006502089.tif 000002
【図２】
0006502089.tif 000003
【図３】
0006502089.tif 000004
【図４】
0006502089.tif 000005
【図５】
0006502089.tif 000006
【図６】
0006502089.tif 000007
【図７】
0006502089.tif 000008
【図８】
0006502089.tif 000009
【図９】
0006502089.tif 000010
【図１０】
0006502089.tif 000011
【図１１】
0006502089.tif 000012
【図１２】
0006502089.tif 000013
【図１３】
0006502089.tif 000014
【図１４】
0006502089.tif 000015
【図１５】
0006502089.tif 000016
【図１６】
0006502089.tif 000017
【図１７】
0006502089.tif 000018